(57)【特許請求の範囲】
【請求項１】
写真フィルムに記録されている画像を印画紙へプリント処理する写真プリンタに用いられるフィルムキャリアであって、
写真フィルムを搬送する搬送路を有するキャリア本体と、
写真フィルムを収容するカートリッジが挿入可能な開放端が形成されると共に、前記カートリッジの挿入位置では前記開放端が水平より上方を向き、写真フィルムを搬送路に送り込み得る装填位置では前記カートリッジと共に水平に配置されるようにキャリア本体に移動可能に回動支持されるホルダと、
ストリップス状態の写真フィルムを案内可能に形成されると共に、ストリップス状態の写真フィルムを搬送路に送り込み得る位置においては前記カートリッジが前記装填位置へ配置されるのを阻止するようにキャリア本体に支持される案内材と、
を含むことを特徴とするフィルムキャリア。
【請求項２】
画像が記録されている写真フィルムを搬送路に沿って搬送すると共に搬送路中の焼付け位置で画像の焼付け処理がされるフィルムキャリアであって、
搬送路を有するキャリア本体と、
ストリップス状態の写真フィルムを案内可能に形成されると共に、ストリップス状態の写真フィルムを搬送路に送り込み得る位置に回動して配置されるようにキャリア本体に回動可能に支持される案内材と、
案内材側あるいはキャリア本体側に突出するように形成される係合凸部と、
キャリア本体側あるいは案内材側に係合凸部が係合されるように設置され且つ係合凸部が係合された状態で移動可能な長さに形成される係合凹部と、
係合凸部と当接して係合凹部の係合凸部が移動可能な方向の両端の位置で係合凸部をそれぞれ係止可能とすることにより、写真フィルムを搬送路に送り込み得る搬送位置及び写真フィルムを搬送路に送り込み得ない非搬送位置の間で案内材を選択的に停止し得る選択部材と、
を含むことを特徴とするフィルムキャリア。
【請求項３】
前記案内材は、前記ストリップス状態の写真フィルムを前記搬送路に送り込み得る搬送位置と、前記ストリップス状態の写真フィルムを前記搬送路に送り込み得ない非搬送位置の間で選択的に配置されるように、前記キャリア本体に支持されると共に、前記非搬送位置にあるときに、前記ホルダの姿勢を前記挿入位置での姿勢から前記装填位置での姿勢へと変えるローラを備えたことを特徴とする請求項１に記載のフィルムキャリア。
【発明の詳細な説明】
【０００１】
【発明の属する技術分野】
本発明は、写真プリンタ等に備えられ写真フィルムに記録されている画像の焼付け処理を行うためのフィルムキャリアに関する。
【０００２】
【従来の技術】
従来、写真フィルムの一種であるネガフィルムは、撮影の終了後にパトローネ等のケース内に巻き取られた状態で現像所に持ち込まれる。そして、現像所では、パトローネに巻き取られているネガフィルムを引出して現像処理をし、この後、プリンタプロセッサ等の写真プリンタに設置されたフィルムキャリアにネガフィルムを装着して、ネガフィルムに記録された画像を印画紙へ焼付けるプリント処理を行い、写真プリントを作成していた。
【０００３】
現像処理の終了したネガフィルムは、所定の画像コマ毎（例えば６コマ毎）に切断したピースネガとされてネガシートに入れられ、写真プリントと共に顧客に返却されている。
【０００４】
近年、再度のプリント処理時等における処理の容易化などの為に、現像処理の終了したネガフィルムを切断せずにパトローネ（以下「カートリッジ」と言う）に巻き取った状態で返却する方法が検討されている。これに伴って、ネガフィルムの収容されているカートリッジをフィルムキャリアに装填可能とし、このカートリッジからネガフィルムを直接取り出してプリント処理する構造にフィルムキャリアをすることが考えられる。
【０００５】
但し、このような構造のフィルムキャリアであっても、念のため、カートリッジから引き出されてカートリッジから取り外された状態であるストリップス状態のネガフィルムをもプリント処理できるような構造にする必要があった。
【０００６】
【発明が解決しようとする課題】
本発明は上記事実を考慮してなされたものであり、カートリッジを装填可能としてカートリッジ内の写真フィルムを処理可能とすると共にストリップス状態の写真フィルムをも処理可能なフィルムキャリアを提供することを第１の目的とする。また、これに伴って、ストリップス状態の写真フィルムを案内する案内材の位置決めが可能な構造のフィルムキャリアを提供することを第２の目的とする。
【０００７】
【課題を解決するための手段】
請求項１に係るフィルムキャリアは、写真フィルムに記録されている画像を印画紙へプリント処理する写真プリンタに用いられるフィルムキャリアであって、
写真フィルムを搬送する搬送路を有するキャリア本体と、
写真フィルムを収容するカートリッジが挿入可能な開放端が形成されると共に、前記カートリッジの挿入位置では前記開放端が水平より上方を向き、写真フィルムを搬送路に送り込み得る装填位置では前記カートリッジと共に水平に配置されるようにキャリア本体に移動可能に回動支持されるホルダと、
ストリップス状態の写真フィルムを案内可能に形成されると共に、ストリップス状態の写真フィルムを搬送路に送り込み得る位置においては前記カートリッジが前記装填位置へ配置されるのを阻止するようにキャリア本体に支持される案内材と、
を含むことを特徴とする。
【０００８】
請求項２に係るフィルムキャリアは、画像が記録されている写真フィルムを搬送路に沿って搬送すると共に搬送路中の焼付け位置で画像の焼付け処理がされるフィルムキャリアであって、
搬送路を有するキャリア本体と、
ストリップス状態の写真フィルムを案内可能に形成されると共に、ストリップス状態の写真フィルムを搬送路に送り込み得る位置に回動して配置されるようにキャリア本体に回動可能に支持される案内材と、
案内材側あるいはキャリア本体側に突出するように形成される係合凸部と、
キャリア本体側あるいは案内材側に係合凸部が係合されるように設置され且つ係合凸部が係合された状態で移動可能な長さに形成される係合凹部と、
係合凸部と当接して係合凹部の係合凸部が移動可能な方向の両端の位置で係合凸部をそれぞれ係止可能とすることにより、写真フィルムを搬送路に送り込み得る搬送位置及び写真フィルムを搬送路に送り込み得ない非搬送位置の間で案内材を選択的に停止し得る選択部材と、
を含むことを特徴とする。
【０００９】
請求項３に係るフィルムキャリアは、請求項１に記載のフィルムキャリアにおいて、前記案内材は、前記ストリップス状態の写真フィルムを前記搬送路に送り込み得る搬送位置と、前記ストリップス状態の写真フィルムを前記搬送路に送り込み得ない非搬送位置の間で選択的に配置されるように、前記キャリア本体に支持されると共に、前記非搬送位置にあるときに、前記ホルダの姿勢を前記挿入位置での姿勢から前記装填位置での姿勢へと変えるローラを備えたことを特徴とする。
【００１０】
請求項１に係るフィルムキャリアの作用を以下に説明する。
画像が記録されている写真フィルムを搬送する搬送路をキャリア本体が有する。さらに、写真フィルムを収容するカートリッジを挿入可能な開放端が形成されたホルダは、カートリッジの挿入位置では開放端が水平より上方を向き、写真フィルムを搬送路に送り込み得る装填位置ではカートリッジと共に水平に配置されるように、キャリア本体に移動可能に回動支持される。また、ストリップス状態の写真フィルムを案内可能に形成された案内材は、ストリップス状態の写真フィルムを搬送路に送り込み得る位置においてはカートリッジが装填位置へ配置されるのを阻止するように、キャリア本体に支持される。
【００１１】
従って、写真フィルムを搬送路に送り込み得る位置に、ホルダと案内材とが選択的に配置されるので、ホルダがカートリッジを装填可能として写真フィルムを処理可能とすると共に、案内材がストリップス状態の写真フィルムを搬送路に送り込んでストリップス状態の写真フィルムをも処理可能にする。また、案内材がストリップス状態の写真フィルムを搬送路に送り込み得る位置にあるときには、カートリッジが写真フィルムを搬送路に送り込み得る装填位置へ配置できないようにしているので、ストリップス状態の写真フィルムを処理しようとするときに、カートリッジが誤って装填位置に配置されることがない。
【００１２】
請求項２に係るフィルムキャリアの作用を以下に説明する。
画像が記録されている写真フィルムを搬送する搬送路をキャリア本体が有する。さらに、案内材がキャリア本体に回動可能に支持され、ストリップス状態の写真フィルムを案内して搬送路に送り込み得る位置に配置可能なように回動される。また、突出するように形成される係合凸部が係合凹部に係合された状態で、係合凸部が移動可能な長さに係合凹部が形成される。そして、選択部材が係合凸部と当接して、係合凸部が移動可能な方向の係合凹部の両端の位置で、係合凸部をそれぞれ係止可能とすることにより、写真フィルムを搬送路に送り込み得る搬送位置及び写真フィルムを搬送路に送り込み得ない非搬送位置の間で、案内材が選択的に停止し得る。
【００１３】
従って、選択部材が係合凸部と当接して案内材を選択的に停止することで、写真フィルムを搬送路に送り込み得る搬送位置及び、写真フィルムを搬送路に送り込み得ない非搬送位置で、ストリップス状態の写真フィルムを案内する案内材の位置決めが可能になる。
【００１４】
請求項３に係るフィルムキャリアの作用を以下に説明する。
案内材は、ストリップス状態の写真フィルムを、搬送路に送り込み得る搬送位置と、搬送路に送り込み得ない非搬送位置の間で選択的に配置されるように、キャリア本体に支持される。そして、案内材が非搬送位置にあるときに、案内材に備えられたローラによって、ホルダの姿勢が挿入位置での姿勢から装填位置での姿勢へと変えられる。従って、カートリッジに収容された写真フィルムを処理しようとするときには、ホルダの姿勢が変えられつつ、その移動が可能になる。
【００１５】
【発明の実施の形態】
以下に図面を参照しながら本発明の一実施の形態を詳細に説明する。
【００１６】
図１から図４には、本実施の形態に適用したフィルムキャリア１０の概略を示している。このフィルムキャリア１０は、写真フィルム（以下、一例として「ネガフィルム１２」とする）に記録されている画像を印画紙等に焼付けて写真プリントを作成するプリンタプロセッサ等に取り付けられる。このプリンタプロセッサでは、ネガフィルム１２に記録されている画像を印画紙に焼付けた後、この印画紙に発色現像、漂白定着、リンス（水洗）、乾燥等の一連の処理を施して写真プリントを作成するようになっている。
【００１７】
図８（Ａ）に示されように、このフィルムキャリア１０に装着されるネガフィルム１２は、幅方向の端部に所定間隔でパーフォレーション１４が形成され、これらのパーフォレーション１４によって定められた位置に画像が記録された画像コマ１２Ａが形成される。
【００１８】
また、ネガフィルム１２の幅方向の両端部であって画像コマ１２Ａに隣接する位置には、磁気情報が記録される磁気トラック１６が設けられている。この磁気トラック１６には、ネガフィルム１２に関する情報と共に、各画像コマ１２Ａの画像の撮影時の情報、プリント処理を行うときのプリントサイズ、露光条件等の種々の情報が記録されるようになっている。
【００１９】
図８（Ｂ）に示されるように、このネガフィルム１２は、スプール軸１８に巻き取られてカートリッジ２０に収容されて保管される。図８（Ａ）及び図８（Ｂ）に示されるように、カートリッジ２０には、ネガフィルム１２が通過する挿通口２２が設けられている。カートリッジ２０の挿通口２２は、ドア２４によって閉止されてカートリッジ２０の内部が遮光されており、スプール軸１８と平行に配置されたドア２４のドア軸２４Ａを回転し、このドア２４を回動させて挿通口２２を開放することにより、ネガフィルム１２の送り出し及び引き入れが可能となっている。
【００２０】
図８（Ｂ）に示されるように、カートリッジ２０の一方の側面には、カートリッジ２０の内部に収容しているネガフィルム１２が現像済みであるか否かを表示する現像表示部２８が設けられている。この現像表示部２８は、例えばカートリッジ２０の側面でスプール軸１８を挟んで挿通口２２と反対側の周縁部に形成されており、矩形孔２８Ａ内に設けたツメ２８Ｂがその基部２８Ｃによって矩形孔２８Ａに連結されることにより、この現像表示部２８が構成されている。
【００２１】
そして、カートリッジ２０の内部に収容しているネガフィルム１２が未現像の間は現像表示部２８のツメ２８Ｂによって矩形孔２８Ａを閉塞した状態とし、カートリッジ２０内のネガフィルム１２を現像処理したときに、このツメ２８Ｂを矩形孔２８Ａ内に押し込んで基部２８Ｃでカートリッジ２０の内方側へ折り曲げるか、この現像表示部２８のツメ２８Ｂを矩形孔２８Ａ内から切除するようにしている。
【００２２】
なお、カートリッジ２０には、現像表示部２８と共に内部に収容しているネガフィルム１２の処理状態を表示するための複数の表示孔２６Ａ〜２６Ｄがスプール軸１８の周囲に所定間隔で設けられ、カートリッジ２０の内部に設けられた白色の表示プレート１８Ａが表示孔２６Ａ〜２６Ｄの何れに位置しているか、すなわち表示孔２６Ａ〜２６Ｄの何れの内部が白色となっているかによって、カートリッジ２０の内部に収容しているネガフィルム１２の処理状態を明示することができるようにしている。例えば、丸孔の表示孔２６Ａはカートリッジ２０内のネガフィルム１２が未露光（未撮影）状態であることを示し、半丸孔の表示孔２６Ｂは一部露光露光済みであることを示し、×状の表示孔２６Ｃは露光済みで未現像であることを示し、矩形孔の表示孔２６Ｄは現像済みであることを示すようになっている。これによって、カートリッジ２０内に収容されているネガフィルム１２が何れの露光状態又は処理状態にあるかを判断することができるようになっている。
【００２３】
図１から図４に示されるように、このネガフィルム１２が装着されるフィルムキャリア１０は、台座３０、カートリッジ装填部３２、フィルム収容部３４及びカバー３６を備えており、このカバー３６がキャリア本体である台座３０に対して開閉可能に支持され、閉鎖時に台座３０の上面を覆うようになっている。また、この台座３０の上面には、カートリッジ装填部３２とフィルム収容部３４との間を繋ぐ搬送路３８が形成されており、カバー３６の閉鎖時にこの搬送路３８はカバー３６に覆われる。
【００２４】
カートリッジ装填部３２にはドライブシャフト１０２が突出して設けられており、現像済みのネガフィルム１２を収容しているカートリッジ２０がこのカートリッジ装填部３２のホルダ３３に装着されると、カートリッジ２０内のスプール軸１８にドライブシャフト１０２の先端側が係合するようになっている。
【００２５】
図９に示されるように、このドライブシャフト１０２の基端側には、トルクリミッタ１０４を介してギヤ１０６が設置されており、このギヤ１０６が、モータ４０の駆動軸４０Ａに設けられたギヤ１０８と噛合することにより、モータ４０の駆動力をスプール軸１８に伝達するようになっている。なお、図９には、フィルムキャリア１０に設けられているネガフィルム１２の搬送機構１００の概略構成が示されている。
【００２６】
このモータ４０の駆動力によってスプール軸１８をネガフィルム１２の送り出し方向へ回転することにより、ネガフィルム１２の先端が搬送路３８へ送り出される。また、モータ４０を逆転させてスプール軸１８をネガフィルム１２の巻取方向へ回転することにより、カートリッジ２０から引き出されているネガフィルム１２をスプール軸１８に巻き取ることができるようになっている。
【００２７】
一方、図４から図７に示すように、カートリッジ２０から引き出されてカートリッジ２０から取り外された状態であるストリップス状態のネガフィルム１２を案内可能に形成されるフィルム案内材３１０が、支持軸３１２を介してカートリッジ装填部３２の側板２０２に回動可能に支持されている。つまり、フィルム案内材３１０のフィルム挿入口８６より挿入されるストリップス状態のネガフィルム１２がフィルム案内材３１０により案内されて、台座３０側に送り込まれる構造となっている。
【００２８】
このフィルム案内材３１０には、係合凸部であるピン３１４が植設されて突出するように形成されており、このピン３１４が緩く嵌合されて係合される係合凹部である長穴３１６が側板２０２に設けられている。この長穴３１６は、支持軸３１２廻りにピン３１４が回動し得る方向を長手方向とし、また、係合された状態のピン３１４が長手方向に移動可能な長さに長く形成されている。
【００２９】
さらに、側板２０２には、図５及び図７上、上下方向に沿って延びる揺動レバー３１８が、中心部分を揺動軸３２０廻りに揺動可能に取り付けられて、支持されている。一端側が側板２０２に係止されたコイルスプリング３２２の他端側が、この揺動レバー３１８の下端側に係止されており、揺動レバー３１８を矢印Ｈ方向に回動するようにコイルスプリング３２２が常時付勢している。
【００３０】
揺動レバー３１８の上端側は長穴３１６に対向して配置されており、揺動レバー３１８の上端が長穴３１６の上部寄りの部分に対向し、長穴３１６の下部寄りの部分に対向する揺動レバー３１８の部分には、凹部３１８Ａが設けられている。
【００３１】
そして、図４及び図５に示すように、ストリップス状態のネガフィルム１２を搬送路３８に送り込み得ない非搬送位置にフィルム案内材３１０が回動すると、長穴３１６の上部側にピン３１４が位置し、このピン３１４を揺動レバー３１８の上端と長穴３１６の内壁面とで挟持して、フィルム案内材３１０の不用意な移動を阻止するようになっている。
【００３２】
また、図６及び図７に示すように、ストリップス状態のネガフィルム１２を搬送路３８に送り込み得る搬送位置にフィルム案内材３１０が回動すると、長穴３１６の下部側にピン３１４が位置し、このピン３１４を揺動レバー３１８の凹部３１８Ａと長穴３１６の内壁面とで挟持して、フィルム案内材３１０の不用意な移動を阻止するようになっている。
【００３３】
以上より、揺動レバー３１８及びコイルスプリング３２２が、搬送位置及び非搬送位置の間でフィルム案内材３１０を選択的に停止し得る選択部材を構成する。
【００３４】
ところで、カートリッジ装填部３２には、カートリッジ２０を所定の位置に装填する装填機構２００が設けられており、図６、図１０及び図１１に、本実施の形態に適用した装填機構２００の概略が示されている。
【００３５】
図１０及び図１１に示されるように、カートリッジ装填部３２の内方とカートリッジ装填部３２の外方に対で側板２０２、２０４が配置されており、これら側板２０２、２０４の間には、シャフト２０６が回転自在に掛け渡されると共にガイドシャフト２０８がこのシャフト２０６と平行に掛け渡されている。
【００３６】
図１０から図１２に示されるように、シャフト２０６の側板２０２から突出した先端にはギヤ２１０が設けられ、シャフト２０６の中間部には、長尺の連動ギヤ２１２が取り付けられている。ギヤ２１０は、開閉モータ２１４の回転軸２１４Ａに取り付けられたギヤ２１６に噛合しており、開閉モータ２１４の駆動によってシャフト２０６及び連動ギヤ２１２が回転するようになっている。
【００３７】
また、ガイドシャフト２０８が挿通されてガイドシャフト２０８に回転自在に支持されると共に側板２２０に回転可能に取り付けられるスライドギヤ２２２が、連動ギヤ２１２に噛合する。そして、この側板２２０は、ガイドシャフト２０８に移動可能に支持されている。この為、側板２２０に設けられたスライドギヤ２２２は、長尺の連動ギヤ２１２と噛合した状態で、側板２２０と共にガイドシャフト２０８に沿って移動可能になっている。
【００３８】
一方、図１３から図１７に示すように、側板２２０に隣合って位置すると共にカートリッジ２０を挿入してカートリッジ２０が装着され得るホルダ３３の開放端側３３Ａ寄りの位置には、コイルスプリング３２６の一端側が係止されている。このホルダ３３の側壁部３３Ｂに沿ってスライド可能に配置されたスライド片３２８にコイルスプリング３２６の他端側が係止されている。この為、スライド片３２８がコイルスプリング３２６により常時ホルダ３３の開放端側３３Ａに付勢されることになる。
【００３９】
このスライド片３２８の一端部は折り曲げられて当接部３２８Ａとされており、ホルダ３３に挿入されるカートリッジ２０がこの当接部３２８Ａに当たることにより、ホルダ３３の奥側にスライド片３２８が押し込まれるような構造となっている。
【００４０】
そして、ホルダ３３の側壁部３３Ｂには、カートリッジ２０の挿入方向に沿って長い案内穴３３２が形成されており、この案内穴３３２の一端寄りには、一段深く形成された係合部３３２Ａが設けられている。これに対して、スライド片３２８には、この案内穴３３２に緩く嵌まり込んで案内される係止片３２８Ｂが形成されており、ホルダ３３にカートリッジ２０が完全に挿入された場合には、図１５及び図１６に示すように、係止片３２８Ｂが係合部３３２Ａに係合され、コイルスプリング３２６の付勢力に抗してスライド片３２８が停止された状態となる。
【００４１】
また、図１３及び図１４に示すように、ホルダ３３の開放端側３３Ａ寄りには、レバー３３６が軸部３３８廻りに回動可能に支持されつつ位置しており、図１４に示すように、このレバー３３６は軸部３３８に巻き付けられたねじりコイルばね３４２により矢印Ｊ方向に付勢されている。
【００４２】
この為、図１５及び図１６に示すように、ホルダ３３にカートリッジ２０が完全に挿入された状態では、レバー３３６がカートリッジ２０の端部をねじりコイルばね３４２の付勢力で押さえつけて、ホルダ３３からのカートリッジ２０の不用意な飛び出しを防いでいる。
【００４３】
このレバー３３６の軸部３３８を挟んだ他端側には操作部３３６Ａが伸びており、スライド片３２８に形成された操作片３２８Ｃと操作片３２８Ｄとの間にこの操作部３３６Ａが位置している。さらに、案内穴３３２と隣り合ってホルダ３３の側壁部３３Ｂには案内穴３３４が形成されており、スライド片３２８に形成される操作片３２８Ｅがこの案内穴３３４に緩く嵌まり込んでいる。
【００４４】
他方、ホルダ３３の側壁部３３Ｃには、コイルスプリング３４０の一端側が係止されるばね軸３４２が植設されており、回動軸３４８を介してホルダ３３を回動可能に支持する壁部材３４６に植設されたばね軸３４４にコイルスプリング３４０の他端側が係止されている。
【００４５】
また、フィルム案内材３１０に固定されたストッパ材３５２から伸びるブラケット３５４には、側壁部３３Ｃの端部に当接し得るローラ３５６が回転可能に支持されている。
【００４６】
従って、コイルスプリング３４０の付勢力により回動軸３４８廻りの矢印Ｋ方向に回動しようとするホルダ３３にローラ３５６が当接して、ホルダ３３の姿勢が図１３に示す状態で維持される。
【００４７】
さらに、図１４、図１６及び図１７に示すように、ブラケット３５４の案内穴３３４と対向する位置には、レバー３５８が回動可能に支持されており、ブラケット３５４とレバー３５８に植設されたピン３６０との間にかけ渡されたコイルスプリング３６２により、レバー３５８のピン３６０がブラケット３５４に係止された状態でレバー３５８が停止している。
【００４８】
この為、図１６に示すように、ホルダ３３内にカートリッジ２０が挿入された状態でホルダ３３がブラケット３５４の部分を矢印Ｌ方向に通過する際には、コイルスプリング３６２の付勢力に抗してレバー３５８が回動して問題なく操作片３２８Ｅが通過する。
【００４９】
さらに、ホルダ３３内にカートリッジ２０が挿入された状態でホルダ３３がブラケット３５４の部分を矢印Ｍ方向に通過する際には、レバー３５８により押されて矢印Ｎ方向に操作片３２８Ｅが移動する。この為、操作片３２８Ｅの移動に伴って、スライド片３２８に形成された係止片３２８Ｂ、操作片３２８Ｃ及び操作片３２８Ｄが同じく矢印Ｎ方向に移動する。この結果、操作片３２８Ｃがレバー３３６の操作部３３６Ａを押してレバー３３６によるカートリッジ２０の端部の付勢を解除すると共に、係止片３２８Ｂの係合が解除されてコイルスプリング３２６によりカートリッジ２０が押し出され、カートリッジ２０がホルダ３３より取り出されて、図１３及び図１４に示すような状態となる。
【００５０】
一方、図１０及び図１１に示すように、ホルダ３３を回動可能に支持する壁部材３４６は、側板２２０に固定されると共に先端部に被検出片３７８が取り付けられるガイドシャフト３７２に、ブッシュ３７４を介して移動可能に支持されており、この側板２２０にカートリッジ２０を装填させる作動レバー３７６が繋がっている。
【００５１】
従って、壁部材３４６及びホルダ３３は、所定量の遊びを有するものの作動レバー３７６の操作により、側板２２０と共にガイドシャフト２０８に沿って移動し得るようになっている。この為、壁部材３４６の移動に伴って、ローラ３５６が側壁部３３Ｃの端部に当接しつつホルダ３３が移動するので、ホルダ３３の開放端側３３Ａがローラ３５６により押し下げられて、ホルダ３３及びホルダ３３に収容されているカートリッジ２０の軸方向が水平方向に沿った姿勢になる。
【００５２】
以上より、ホルダ３３は、ガイドシャフト２０８に案内されて、矢印Ｅ方向及び矢印Ｅ方向と反対方向へスライド可能となっている。この為、作動レバー３７６を操作することにより、カートリッジ２０が装着された図１０に示すホルダ３３が矢印Ｅ方向に沿ってカートリッジ装填部３２の所定位置まで移動され、これに伴ってホルダ３３及びカートリッジ２０の姿勢がローラ３５６により変えられて、図１１に示すように、カートリッジ２０がカートリッジ装填部３２に装填される。
【００５３】
このカートリッジ２０がカートリッジ装填部３２に装填された位置である装填位置では、カートリッジ２０の挿通口２２が搬送路３８に対向し、カートリッジ２０から搬送路３８へネガフィルム１２を送り出し可能となっている。さらに、取出しレバー３８０を操作し、装填位置からホルダ３３を矢印Ｅ方向と反対方向へスライドさせることにより、ホルダ３３からのカートリッジ２０の取り出しが可能となる。
【００５４】
また、図１２に示すように、側板２２０には、スライドギヤ２２２に噛合したアイドルギヤ２２４及び、アイドルギヤ２２４に噛合した扇形のドライブギヤ２２６が取り付けられている。このため、連動ギヤ２１２の回転は、スライドギヤ２２２、アイドルギヤ２２４を介してドライブギヤ２２６に伝達される。
【００５５】
ドライブギヤ２２６には、側板２２０を貫通して突出したドアドライバ２２８が取り付けられている。このドアドライバ２２８は、ホルダ３３にカートリッジ２０を装着しガイドシャフト２０８に案内されて装填位置に配置された直後に、カートリッジ２０のドア軸２４Ａに入り込んでドア軸２４Ａと一体回転可能に係合するようになっている。これにより、連動ギヤ２１２の回転に応じてドライブギヤ２２６が矢印Ｆ方向へ回動すると、ドアドライバ２２８によってドア２４が挿通口２２を開放する方向へ回動し、ドライブギヤ２２６の矢印Ｇ方向（矢印Ｆ方向と反対方向）へ回動することにより、ドア２４が挿通口２２を閉止する方向へ回動する。
【００５６】
また、カートリッジ装填部３２には、ホルダ３３に装着されたカートリッジ２０をカートリッジ装填部３２の所定の位置に装填したときに、扇型のドライブギヤ２２６に対向するようにストッパ２３０が設けられている。扇型のドライブギヤ２２６は、カートリッジ２０のドア２４を挿通口２２の開放方向へ回動したときに、ストッパ２３０の凹部２３０Ａへ入り込むようになっている。これにより、ストッパ２３０は、カートリッジ２０の挿通口２２が開放された状態でホルダ３３のカートリッジ取り出し方向（矢印Ｅ方向と反対方向）への移動を阻止するようになっている。
【００５７】
シャフト２０６の側板２０４から突出した先端部近傍には、略Ｌ字状の被検出片２３４が取り付けられている。また、側板２０４の近傍には、被検出片２３４に対向してセンサ２３２が配設されている。この被検出片２３４の先端部は、センサ２３２の検出部２３２Ａに入り込んでおり、シャフト２０６がカートリッジ２０のドア２４を開く方向（矢印Ｄ方向）へ回動したときに、この先端部がセンサ２３２の検出部２３２Ａから抜け出るようになっている。
【００５８】
開閉モータ２１４及びセンサ２３２は、図示しないコントローラに接続されており、コントローラは、開閉モータ２１４を駆動したときに、センサ２３２によってカートリッジ２０の挿通口２２が開放状態となったか又は閉止状態となったかを検出して開閉モータ２１４を停止するようにしている。
【００５９】
一方、図１０から図１２に示されるように、ホルダ３３が支持されている側板２２０には、ドライブシャフト１０２と反対側でカートリッジ２０のスプール軸１８に当接してドライブシャフト１０２との間でカートリッジ２０を挟持する支持シャフト２３８が、設けられており、ドライブシャフト１０２と支持シャフト２３８とでスプール軸１８が挟持された状態で、スプール軸１８がネガフィルム１２の送り出し回転及び巻き取り回転される。
【００６０】
このドライブシャフト１０２に隣合った位置には、カートリッジ２０の現像表示部２８に対向する検出ピン２４０が設けられており、この検出ピン２４０の先端部は、ホルダ３３に装着されてカートリッジ装填部３２に装填されるカートリッジ２０の矩形孔２８Ａに対向している。また、この検出ピン２４０は、中間部にホルダ３３の側壁に当接する段部２４０Ａが形成されている。
【００６１】
そして、この検出ピン２４０は、略コ字状のブラケット２４２の一端部に取り付けられている。このブラケット２４２の他端部には、圧縮コイルバネ２４４の一端が係止されており、これにより検出ピン２４０がカートリッジ装填部３２に装填されたカートリッジ２０に向けて矢印Ｄ方向へ付勢されている。
【００６２】
また、ブラケット２４２の中間部近傍には、センサ２４６、２４８が配設されており、ブラケット２４２の中間部には、センサ２４８に対向し得る被検出片２５０が突設されている。
【００６３】
この被検出片２５０は、カートリッジ２０の非装填状態でセンサ２４６、２４８の間に位置するようになっている。
【００６４】
また、カートリッジ２０がホルダ３３に装着されてカートリッジ装填部３２に装填されたときに、検出ピン２４０の段部２４０Ａがホルダ３３に当接し、ブラケット２４２が圧縮コイルバネ２４４の付勢力に抗して矢印Ｄ方向と反対方向に移動するものの、この被検出片２５０は、センサ２４６、２４８の間に位置したままになっている。
【００６５】
さらに、現像表示部２８のツメ２８Ｂが折り曲げられていないカートリッジ２０が装填されたときには、検出ピン２４０がこのツメ２８Ｂに当接してブラケット２４２が圧縮コイルバネ２４４の付勢力に抗して押し戻されることにより、被検出片２５０はセンサ２４８に対向するようになっている。
【００６６】
一方、ガイドシャフト３７２の先端部に取り付けられた被検出片３７８がセンサ２４６内に入り込み得るようになっており、カートリッジ２０が装填されると、ガイドシャフト３７２がホルダ３３の移動に合わせて移動して被検出片３７８がセンサ２４６内に入り込むことになる。
【００６７】
従って、被検出片３７８がセンサ２４６内に入り込んだカートリッジ２０の装填状態で、検出ピン２４０がセンサ２４８と対向していないことを検出することにより、現像済のネガフィルム１２を収納したカートリッジ２０が装填されて、ネガフィルム１２の搬送が可能であると判断する。
【００６８】
以上より、カートリッジ装填部３２にカートリッジ２０が装填されたかと共に、カートリッジ２０が装填されたときに、そのカートリッジ２０の現像表示部２８が現像済みであると表示しているか否かを検出できるようになっており、カートリッジ２０内に収容されているネガフィルム１２が現像済みであるか否かを確認してから搬送路３８へ送り出すようにし、未現像のネガフィルム１２を不用意に引き出して感光させてしまうのを防止している。
【００６９】
図２から図４に示されるように、搬送路３８上には、台座３０及びカバー３６に設けられてそれぞれ対とされたフィードローラ４２Ａ〜４２Ｄが配置されており、モータ４４（図３参照）の駆動によってこれらフィードローラ４２Ａ〜４２Ｄがネガフィルム１２を挟持して、カートリッジ２０からの引き出し方向（図中の矢印Ａ方向）及びカートリッジ２０への送り込み方向（矢印Ａ方向と反対方向）へ搬送する。
【００７０】
すなわち、図９に示されるように、フィードローラ４２Ａ〜４２Ｄが取り付けられているシャフト１１０の一端には、プーリー１１２、１１４（プーリー１１４は、フィードローラ４２Ｄに対応している）が取り付けられており、これらのプーリー１１２、１１４と、モータ４４の駆動軸４４Ａに取り付けられているプーリー１１６との間に、無端の駆動ベルト１１８が巻き掛けられており、モータ４４の駆動力が、駆動ベルト１１８を介してフィードローラ４２Ａ〜４２Ｄに伝達されている。
【００７１】
図４に示されるように、フィルム収容部３４にはネガフィルム１２を巻き取る巻取軸５０がカバー部１２０の先端側に支持された状態で設けられており、この巻取軸５０の上方はカバー部１２０によって覆われている。さらに、カバー部１２０の下部には、台座３０に固定されたベース部１２２が配置されており、カバー部１２０の基端側の端部が、巻取軸５０と平行に掛け渡された駆動シャフト１５４を介して、ベース部１２２に回動可能に取り付けられている。
【００７２】
そして、これらカバー部１２０及びベース部１２２の巻取軸５０と対向する部分には、カバー部１２０及びベース部１２２をそれぞれ円弧状に切り欠いて形成されるガイド部１２０Ａ、１２２Ａが、設けられている。
【００７３】
一方、このカバー部１２０にはガイド板１２８の基端が軸支されており、このガイド板１２８の先端には、ガイドローラ５２Ａが回転自在に取り付けられている。ガイド板１２８の基端側に係合された引張コイルばね１３０の付勢力によってこのガイドローラ５２Ａを巻取軸５０に押し付けるようにしている。
【００７４】
この巻取軸５０の下方には、基端がベース部１２２に軸支されたガイド板１４０が設けられている。このガイド板１４０の先端には、ガイドローラ５２Ｂが回転自在に取り付けられており、ガイド板１４０の基端側に係合された引張コイルばね１４２の付勢力によってこのガイドローラ５２Ｂを巻取軸５０に押し付けるようにしている。
【００７５】
以上より、搬送路３８からフィルム収容部３４へ送り込まれたネガフィルム１２は、その先端がガイド板１２８の下面に沿ってガイドローラ５２Ａと巻取軸５０との間へ案内され、ガイドローラ５２Ａと巻取軸５０の周面の間へ入り込むようになっている。このとき、巻取軸５０がネガフィルム１２の巻取方向へ回転されていることにより、ネガフィルム１２がガイド部１２０Ａ、１２２Ａに案内されつつ巻取軸５０に巻き込まれる。このネガフィルム１２の先端は、さらに、ガイド板１４０に案内されてガイドローラ５２Ｂと巻取軸５０の間へ送り込まれ、次第に巻取軸５０に層状に巻き取られるようになっている。
【００７６】
ところで、図９に示されるように、この巻取軸５０のカバー部１２０から側方に突出した先端には、ギヤ１５０が設けられている。また、カバー部１２０には巻取軸５０及び駆動シャフト１５４と平行に掛け渡されたシャフト１５２が支持されていて、シャフト１５２の一端側寄りの位置に取り付けられたギヤ１５６が、巻取軸５０のギヤ１５０と噛合している。さらに、このシャフト１５２の一端には、トルクリミッタ１５８を介してギヤ１６０が設けられ、このギヤ１６０が駆動シャフト１５４にワンウェイクラッチ１６４を介して設置されたギヤ１６２と噛合している。
【００７７】
このトルクリミッタ１５８は、シャフト１５２に所定以上の負荷が作用すると例えば滑りを生じるようになっており、これによって巻取軸５０に必要以上の回転力が付与することがないようにしている。
【００７８】
この駆動シャフト１５４の他端には、プーリー１６６が取り付けられており、このプーリー１６６には、フィードローラ４２Ｄと一体に回転するプーリー１１４との間に無端の駆動ベルト１６８が巻掛けられている。このため、モータ４４が駆動すると、フィードローラ４２Ａ〜４２Ｄと共に巻取軸５０も回転するようになっている。
【００７９】
搬送路３８の搬送方向中央部に対応するフィルムキャリア１０の部分には、ネガフィルム１２の焼付け用の開口５４が形成されており、ネガフィルム１２の各画像コマ１２Ａがこの開口５４に順に位置決めされるようになっている。この開口５４は、台座３０の下方に位置する図示しない光源から照射された光線を通過させ、通過した光線が位置決めされたネガフィルム１２を透過し、図示しない光学系によって印画紙へ画像コマ１２Ａに記録された画像が結像される。以上より、開口５４でネガフィルム１２に記録された画像を印画紙に焼付ける画像の焼付け処理がされるようになるので、この開口５４が焼付け位置となる。
【００８０】
なお、台座３０とカバー３６の間には、画像コマ１２Ａに対応した大きさの開口５６Ａを有したネガ圧着板５６が設けられており、ネガフィルム１２が開口５４に対応して位置決めされると、ネガ圧着板５６と開口５４の周囲の台座３０の部分との間でネガフィルム１２の画像コマ１２Ａの周囲を均一に押さえて、印画紙に焼付ける画像に歪み等が生じないようにしている。
【００８１】
そして、これら開口５４及びネガ圧着板５６の開口５６Ａは、従来、ネガフィルム１２のアスペクトレシオが相違する幾種類かの画像コマの大きさにそれぞれ開口の面積を合致させるべく、これら開口５４及びネガ圧着板５６に対応する部分に、交換可能なネガマスクを設置していた。
【００８２】
しかし、各画像コマ１２Ａのアスペクトレシオを磁気情報に含めることにより、アスペクトレシオの相違が判断でき、ネガマスクを本実施の形態のフィルムキャリア１０に設置する必要がなくなって、単一の大きさの貫通部分である開口５４、５６Ａ有した台座３０及びネガ圧着板５６を採用することが可能となった。
【００８３】
一方、図２から図４に示されるように、フィルムキャリア１０には、磁気ヘッド部５８、センサ部６０が設けられている。
【００８４】
磁気ヘッド部５８は、磁気情報をそれぞれ書き込む一対の記録ヘッド６２及び、書き込まれている磁気情報をそれぞれ読み取る一対の読取ヘッド６４を備えている。つまり、搬送路３８の幅方向の一端部に対向したカバー３６の部分に、記録ヘッド６２及び読取ヘッド６４が一個づつ配置されており、搬送路３８の幅方向の他端部に対向したカバー３６の部分に、同じく記録ヘッド６２及び読取ヘッド６４が一個づつ配置されている。
【００８５】
また、記録ヘッド６２及び読取ヘッド６４のそれぞれに対向する台座３０の部分には、バックアップローラ６６が設けられており、搬送路３８に沿って搬送されるネガフィルム１２の幅方向の両端部の磁気トラック１６を記録ヘッド６２及び読取ヘッド６４のそれぞれへ密着させるようにしている。
【００８６】
図４に示されるように、センサ部６０は、開口５４と磁気ヘッド部５８との間に配置され、それぞれが投光部６８と受光部７０によって構成されたそれぞれ複数（本実施の形態では一対）のセンサ７２、７４を備えている。これらのセンサ７２、７４は、投光部６８或いは受光部７０のいずれか一方をカバー３６に設け、他方を台座３０に設ける構造となっている。
【００８７】
図３に示されるように、一対のセンサ７２は、搬送路３８の幅方向の両端部に対応してそれぞれ配置されており、ネガフィルム１２に形成されているパーフォレーション１４を検出する。なお、ネガフィルム１２にバーコード化されたＤＸコード等の光学情報が記録されているときには、この光学情報の読み取りもできるようになっている。また、一対のセンサ７４は、搬送路３８の幅方向に沿って並んで配置されており、搬送路３８を通過するネガフィルム１２の画像検出用となっている。
【００８８】
次に本実施の形態の作用を説明する。
ネガフィルム１２を収容するカートリッジ２０を挿入可能に形成されるホルダ３３が、移動可能に支持されている。この為、図４に示すように、カートリッジ２０内のネガフィルム１２を処理しようとする場合、ネガフィルム１２を搬送路３８に送り込み得る装填位置にカートリッジ２０が配置されるように、ホルダ３３にカートリッジ２０を挿入し作動レバー３７６を操作してホルダ３３を移動させる。尚、この際、フィルム案内材３１０は非搬送位置へ回動させておくことにする。
また、ストリップス状態のネガフィルム１２を案内可能に形成されるフィルム案内材３１０が側板２０２に回動可能に支持されている。この為、図６に示すように、ストリップス状態のネガフィルム１２を処理しようとする場合、ストリップス状態のネガフィルム１２を搬送路３８に送り込み得る搬送位置に配置されるように、フィルム案内材３１０を移動する。この際、フィルム案内材３１０に固定されたストッパ材３５２（図１３及び図１５等に示す）がカートリッジ２０の装填位置まで下降して、誤ってカートリッジ２０が装填位置に配置されることを阻止している。
【００８９】
従って、ホルダ３３とフィルム案内材３１０とが搬送路３８にネガフィルム１２を送り込み得る位置に選択的に配置されるので、ホルダ３３がカートリッジ２０を装填可能としてネガフィルム１２を処理可能とすると共に、フィルム案内材３１０がストリップス状態のネガフィルム１２を搬送路３８に送り込んでストリップス状態のネガフィルム１２をも処理可能とする。
【００９０】
一方、図５及び図７に示すように、突出して形成されるピン３１４が長穴３１６に係合された状態で、ピン３１４が移動可能な長さに長穴３１６が形成される。そして、コイルスプリング３２２により付勢された揺動レバー３１８がピン３１４と当接して、ピン３１４が移動可能な方向の長穴３１６の両端の位置で、ピン３１４をそれぞれ係止可能とする。この結果、ネガフィルム１２を搬送路３８に送り込み得る搬送位置及びネガフィルム１２を搬送路３８に送り込み得ない非搬送位置の間で、フィルム案内材３１０が選択的に停止し得ることになる。
【００９１】
従って、コイルスプリング３２２により付勢された揺動レバー３１８がピン３１４と当接してフィルム案内材３１０を選択的に停止することにより、搬送位置及び非搬送位置で、ストリップス状態のネガフィルム１２を案内するフィルム案内材３１０の位置決めが可能になる。
【００９２】
そして、フィルム案内材３１０を搬送位置から非搬送位置へ回動する場合、或いはフィルム案内材３１０を非搬送位置から搬送位置へ回動する場合は、作業者が、例えば手動でフィルム案内材３１０を回動させることにより、容易にフィルム案内材３１０の位置が変更される。
【００９３】
次に、ネガフィルム１２に記録された画像の印画紙への焼付けの動作を説明する。
【００９４】
フィルムキャリア１０のカートリッジ装填部３２にネガフィルム１２を収容したカートリッジ２０が装着されると、カートリッジ２０のスプール軸１８にドライブシャフト１０２が係合して、モータ４０の駆動力をスプール軸１８に伝達できるようになる。この後、カートリッジ２０内に収容されているネガフィルム１２が現像済みであることを、例えばカートリッジ２０の所定の位置の表示等によって確認すると共に挿通口２２のドア２４をモータ２１４が開放すると、カートリッジ２０からのネガフィルム１２の送り出しと、搬送路３８でのネガフィルム１２の搬送を開始する。
【００９５】
すなわち、モータ４０、４４を駆動して、カートリッジ２０からネガフィルム１２を送り出して、このネガフィルム１２を搬送路３８へ引き出しながら搬送路３８に沿って一定速度で搬送して、フィルム収容部３４へ送り込む。これに伴って、位置が調整されている磁気ヘッド部５８の読取ヘッド６４によってネガフィルム１２の磁気トラック１６に記録されている磁気情報の読み取りを行う。
【００９６】
一方、フィルム収容部３４では、カートリッジ２０からのネガフィルム１２の引き出し方向へのモータ４４の駆動力が伝達されて、巻取軸５０が搬送路３８でのネガフィルム１２の搬送速度より速い周速度で駆動されている。この為、搬送路３８を搬送されたネガフィルム１２がこのフィルム収容部３４へ送り込まれると、巻取軸５０に巻き取られる。
【００９７】
さらに、カートリッジ２０から引き出したネガフィルム１２を一旦、フィルム収容部３４に巻き取って収容した後、モータ４０、４４を逆回転させて、フィルム収容部３４からネガフィルム１２を引き出しながら、コマ送り搬送する。このときに、ネガフィルム１２の各画像コマ１２Ａに記録された画像が印画紙に焼付けられる。また、このネガフィルム１２をコマ送り搬送するときに、磁気ヘッド部５８の記録ヘッド６２によってネガフィルム１２の磁気トラック１６へ磁気情報の書き込みを行う。
【００９８】
そして、磁気トラック１６へ磁気情報が書き込まれたネガフィルム１２をカートリッジ装填部３２のスプール軸１８が巻き取って、カートリッジ２０にネガフィルム１２が収容される。
【００９９】
なお、本実施の形態（一実施の形態）は、本発明を適用したフィルムキャリアの一例を示すものであり、本発明の構成を限定するものではなく、本発明は種々の構成が可能である。
【０１００】
例えば、上記実施の形態では、係合凹部である長穴３１６を台座３０に固定された側板２０２に形成し、係合凸部であるピン３１４をフィルム案内材３１０に設けたが、この逆に、長穴３１６をフィルム案内材３１０に設け、ピン３１４を側板２０２に形成しても良い。また、長穴３１６及びピン３１４の替わりに、相互に係合し得る他の構造の係合凹部及び係合凸部を採用してもよい。
【０１０１】
一方、選択部材も、コイルスプリング３２２の替わりにねじりコイルばね等の弾性部材を採用することとしても良く、また、揺動レバー３１８の替わりにソレノイド等を採用して電気的に案内材を停止することとしても良い。
【０１０２】
【発明の効果】
以上説明した如く、本発明では、カートリッジを装填可能としてカートリッジ内の写真フィルムを処理可能とすると共にストリップス状態の写真フィルムをも処理可能となる優れた効果を有している。
【０１０３】
また、本発明では、ストリップス状態の写真フィルムを案内する案内材の位置決めを可能とすることができる優れた効果を有している。
【図面の簡単な説明】
【図１】本実施の形態に適用したフィルムキャリアを示す概略斜視図である。
【図２】本実施の形態に適用したフィルムキャリアのカバーを開放した状態を示す概略斜視図である。
【図３】フィルムキャリアの台座を示す平面図である。
【図４】フィルムキャリアのネガフィルム搬送方向に沿った概略断面図であって、フィルム案内材が非搬送位置にある状態を示す図ある。
【図５】フィルム案内材が非搬送位置にある状態の図３の５−５矢視線断面に対応する図である。
【図６】フィルムキャリアのネガフィルム搬送方向に沿った概略断面図であって、フィルム案内材が搬送位置にある状態を示す図ある。
【図７】フィルム案内材が搬送位置にある状態の図３の７−７矢視線断面に対応する図である。
【図８】（Ａ）はフィルムキャリアに装着されるネガフィルム及びカートリッジを示す概略平面図、（Ｂ）はカートリッジの概略側面図である。
【図９】一実施の形態に係る搬送機構を示す概略構成図である。
【図１０】カートリッジ装填部の拡大平面図であって、カートリッジが装填されてない状態を示す図である。
【図１１】カートリッジ装填部の拡大平面図であって、カートリッジが装填されている状態を示す図である。
【図１２】カートリッジ装填部の要部拡大斜視図である。
【図１３】カートリッジが未装着の状態のホルダの拡大斜視図である。
【図１４】カートリッジが未装着の状態のホルダの拡大平面図である。
【図１５】カートリッジが装着された状態のホルダの拡大斜視図である。
【図１６】カートリッジが装着された状態のホルダの拡大平面図である。
【図１７】ホルダの装填状態の拡大斜視図である。
【符号の説明】
１０    フィルムキャリア
１２    ネガフィルム（写真フィルム）
２０    カートリッジ
３０    台座（キャリア本体）
３３    ホルダ
３８    搬送路
３１０    フィルム案内材
３１４    ピン
３１６    長穴
３１８    揺動レバー
３２２    コイルスプリング
【図１】
0003545519.tif 000002
【図２】
0003545519.tif 000003
【図３】
0003545519.tif 000004
【図４】
0003545519.tif 000005
【図５】
0003545519.tif 000006
【図６】
0003545519.tif 000007
【図７】
0003545519.tif 000008
【図８】
0003545519.tif 000009
【図９】
0003545519.tif 000010
【図１０】
0003545519.tif 000011
【図１１】
0003545519.tif 000012
【図１２】
0003545519.tif 000013
【図１３】
0003545519.tif 000014
【図１４】
0003545519.tif 000015
【図１５】
0003545519.tif 000016
【図１６】
0003545519.tif 000017
【図１７】
0003545519.tif 000018